(57)【要約】【課題】画像（静止画，動画）データを閲覧させるために、できるだけ少ないデータで、視認性の高い閲覧方法を提供する。【解決手段】閲覧させたい画像をインターネット上のサーバに置き、そのＵＲＬを電子透かしとして、そのサムネイルに埋め込む。閲覧者にはサムネイルのみを提供する。閲覧者はサムネイルを閲覧して、気にいったもののみを電子透かしのＵＲＬからダウンロードして、本画像を閲覧する。【選択図】        図１
2004320465.tif 000002
【特許請求の範囲】
【請求項１】
画像（静止画または動画）を受渡しすることができる電子機器であり、
元画像に対するサムネイルを生成することが可能な電子機器において、
元画像の置いてあるＵＲＬを検出する手段を有することを特徴とする、
画像データの受渡し装置。
【請求項２】
請求項１に記載の画像データの受渡し装置で、
画像に対して電子透かしを付加する手段を有し、
前記元画像に対するサムネイルを生成し、
前記元画像の置いてあるＵＲＬを検出し、
前記元画像の置いてあるＵＲＬを電子透かしとして前記元画像に対するサムネイルに付加する手段を有することを特徴とする、
画像データの受渡し装置。
【請求項３】
画像（静止画または動画）を表示できる電子機器であり、
サムネイルを表示することが可能な電子機器において、
サムネイルから電子透かしを復元する手段を有することを特徴とする、
画像データの受渡し装置。
【請求項４】
請求項３に記載の画像データの受渡し装置で、
前記復元された電子透かしのデータが、ＵＲＬであるかどうかを判定する手段を有することを特徴とする、
画像データの受渡し装置。
【請求項５】
請求項４に記載の画像データの受渡し装置で、
前記復元された電子透かしのデータが、ＵＲＬであると判定された場合に、ＵＲＬに記述された情報を受信する手段を有することを特徴とする、
画像データの受渡し装置。
【請求項６】
請求項２に記載の画像データの受渡し装置で、
前記ＵＲＬを電子透かしとして付加されたサムネイルに対し、更にセキュリティ情報を電子透かしとして付加する手段を有することを特徴とする、
画像データの受渡し装置。
【請求項７】
請求項３に記載の画像データの受渡し装置で、
復元された電子すかしが、ＵＲＬと、セキュリティ情報かを判定する手段を有することを特徴とする、
画像データの受渡し装置。
【請求項８】
請求項２に記載の画像データの受渡し装置で、
前記元画像から生成された電子透かしにセキュリティ情報を電子透かしとして付加した後に、前記ＵＲＬを電子透かしとして付加する手段を有することを特徴とする、
画像データの受渡し装置。
【請求項９】
請求項１に記載の画像データの受渡し装置で、
画像に対して電子透かしを付加する手段を有し、
前記元画像に対するサムネイルを生成し、
前記生成されたサムネイルに対し、任意のスクリプト言語を電子透かしとして挿入する手段を有することを特徴とする、
画像データの受渡し装置。
【請求項１０】
請求項３に記載の画像データの受渡し装置において、
単数の、または複数の種類のスクリプト言語を処理することができることを特徴とする、
画像データの受渡し装置。
【請求項１１】
請求項１０に記載の画像データの受渡し装置において、
前記復元された電子透かしのデータが、スクリプト言語であることを判定する手段を有し、更にスクリプト言語の種類を判定する手段を有することを特徴とする、
画像データの受渡し装置。
【請求項１２】
請求項１１に記載の画像データの受渡し装置において、
前記復元されたスクリプト言語が、処理できるスクリプト言語かどうか判定する手段を有し、処理できるスクリプト言語であれば、処理することを特徴とする、
画像データの受渡し装置。
【発明の詳細な説明】
【０００１】
【発明の属する技術分野】
本発明は、画像をユーザまたは機器間で効率的に受渡しする装置に関するものである。
【０００２】
【従来の技術】
デジタル情報を他人に閲覧してもらうには、主に以下の方法が用いられてきた。
【０００３】
１．  フロッピや、光磁気ディスクなど、リムーバブルメディアにコピーしてこのリムーバブルメディアを貸与する。
【０００４】
２．  電子メールの添付ファイルで送付する。
【０００５】
３．  ＦＴＰサイトやｗｅｂサイト、データベースにデータを置いておき、ＵＲＬや、データベースの所在を告げることにより、閲覧者にアクセスしてもらう。
【０００６】
【発明が解決しようとする課題】
しかしながら、画像（静止画，動画）に特化して考慮した場合、画像のデータ量はＪＰＥＧ等の圧縮フォーマットを用いたとしても概して非常に大きい。
【０００７】
多量の画像データを上記従来技術により閲覧する場合、
１．  大容量のリムーバブルメディアの貸与を行なう場合、物理的な物の受渡しが必ず必要となる
２．  電子メールの添付をする場合は、ネットワークを使用するエチケットから、多量のデータを添付することは不可能
３．  ＦＴＰサイトやｗｅｂサイト、データベースを用いる場合、大容量のネットワークを具備した環境でなければ、検索性が極端に悪くなる
といった問題がある。
【０００８】
本発明は、以上の問題を回避するために、様々な手法で画像情報を他人に閲覧させるのに適した画像データの受渡し装置を提供するものである。
【０００９】
【課題を解決するための手段】
上記問題を解決するために、本発明は、画像データの受渡し装置において、画像（静止画または動画）を受渡しすることができる電子機器であり、元画像に対するサムネイルを生成することが可能な電子機器において、元画像を置いてあるＵＲＬを検出する手段を有することを特徴とする。
【００１０】
また好適には、画像に対して電子透かしを付加する手段を有し、前記元画像に対するサムネイルを生成し、前記元画像の置いてあるＵＲＬを検出し、前記元画像の置いてあるＵＲＬを電子透かしとして前記元画像に対するサムネイルに付加するする手段を有することを特徴とする。
【００１１】
また好適には、サムネイルを表示することが可能な電子機器において、サムネイルから電子透かしを復元する手段を有することを特徴とする。
【００１２】
また好適には、前記復元された電子透かしのデータが、ＵＲＬであるかどうかを判定する手段を有することを特徴とする。
【００１３】
また好適には、前記復元された電子透かしのデータが、ＵＲＬであると判定された場合に、ＵＲＬに記述された情報を受信する手段を有することを特徴とする。
【００１４】
また好適には、前記ＵＲＬを電子透かしとして付加されたサムネイルに対し、更にセキュリティ情報を電子透かしとして付加する手段を有することを特徴とする。
【００１５】
また好適には、復元された電子すかしが、ＵＲＬと、セキュリティ情報かを判定する手段を有することを特徴とする。
【００１６】
また好適には、前記元画像から生成された電子透かしにセキュリティ情報を電子透かしとして付加した後に、前記ＵＲＬを電子透かしとして付加する手段を有することを特徴とする。
【００１７】
また好適には、画像に対して電子透かしを付加する手段を有し、前記元画像に対するサムネイルを生成し、前記生成されたサムネイルに対し、任意のスクリプト言語を電子透かしとして挿入する手段を有することを特徴とする。
【００１８】
また好適には、単数の、または複数の種類のスクリプト言語を処理することができることを特徴とする。
【００１９】
また好適には、前記復元された電子透かしのデータが、スクリプト言語であることを判定する手段を有し、更にスクリプト言語の種類を判定する手段を有することを特徴とする。
【００２０】
更に好適には、前記復元されたスクリプト言語が、処理できるスクリプト言語かどうか判定する手段を有し、処理できるスクリプト言語であれば、処理することを特徴とする。
【００２１】
【発明の実施の形態】
（第１の実施例）
以下、図１〜図４に基づき、本発明による画像データの受渡し装置の好適な実施例を説明する。
【００２２】
図１に、本発明による画像データの受渡し装置の渡し側、図２に受け側の装置構成を示す。
【００２３】
まず、図１の画像データの渡し側では、渡す対象となる画像（静止画／動画）（以下、本画像）のサムネイルを作成する手段ｓ１０１、本画像を置いてあるＵＲＬを取得する手段Ｓ１０２、ｓ１０２で得られたＵＲＬをｓ１０１で得られたサムネイルに電子透かし情報として埋め込むための電子透かし作成手段ｓ１０３から構成される。
【００２４】
また、図２の画像データの受け側では、サムネイルを閲覧するための手段ｓ２０１、サムネイルに埋め込まれた電子透かし情報を解読する手段ｓ２０２、前記解読された電子透かし情報からＵＲＬを抽出する手段ｓ２０３、前記抽出されたＵＲＬから画像をダウンロードする手段ｓ２０４、ダウンロードした画像を表示する手段ｓ２０５から構成される。
【００２５】
図３に、図１に示した画像データの渡し側の動作の流れを示す。
【００２６】
まず、目的とする画像を選んで、任意の大きさ、例えば１６０ｘ１２０ドット程度の画素サイズに変換し、別ファイルとして保存することにより、本画像に対するサムネイルを作成する（ｓ３０１）。
【００２７】
次に、本画像を他の画像データの受け渡し装置からもダウンロードできるように、イントラネトやインターネット等に配置されたサーバにアップロードする（ｓ３０２）。
【００２８】
次に、アップロードした本画像のＵＲＬを取得する（ｓ３０３）。ｓ３０３の代わりに、ｓ３０２で本画像をアップロードするときに、明示的にＵＲＬを指定してアップロードしても良い。
【００２９】
更に、ｓ３０３で取得したＵＲＬを電子透かしとして、ｓ３０１で作成された画像に挿入し（ｓ３０４）、画像データの受け渡し装置のサムネイルの作成を終了する。
【００３０】
ここで、ユーザは、ｓ３０４で作成されたサムネイルのみをフロッピディスクや光磁気ディスク、メモリーカード等のストレージメディアにコピーして、画像を閲覧させたい他のユーザに渡すか、電子メールにサムネイルを添付して、配布する。
【００３１】
図４に、画像データの受渡し装置の渡し側で作成されたサムネイルを元に、受け側で本画像を閲覧するための流れを示す。
【００３２】
まず、配布者から、ストレージメディアを受け取ったり、電子メールを受けることにより、サムネイルを取得し（ｓ４０１）、閲覧する（ｓ４０２）。受け側の表示装置が大画面であれば、サムネイルを複数同時に表示できると、閲覧性能は高くなる。前記表示されたサムネイルの１つまたは複数の本画像を閲覧したい場合、閲覧したいサムネイルを選択すると、画像データの受け渡し装置の受け側では、サムネイルから電子すかしを埋め込まれた情報を解読し、これがＵＲＬであるかどうかを判別する（ｓ４０４）。
【００３３】
次に、得られたＵＲＬから画像をダウンロードする（ｓ４０５）。このダウンロードされる画像は、ｓ３０２でアップロードされた画像である。ｓ４０５でダウンロードが終了したら、ダウンロードの終わった画像を表示する（ｓ４０６）。
【００３４】
以上により、サムネイルをもとに、画像の受け渡しが可能となる。
【００３５】
最近、インターネットの普及、デジタルカメラの普及と高画素化により、以前に比べて画像データを人と人の間で受渡す機会も増え、また、データ量も格段に増えたため、特に電子メールで画像を受け渡す場合に、渡せる画像の量にも、限界がある。
【００３６】
そこで、画像をインターネットやイントラネット、データベースサーバにアップロードしておいて、そのＵＲＬを電子メールで通知して、閲覧する方法がとられているが、多量のＵＲＬが記述してあっても、ユーザにとって不要な画像も多く、閲覧性が著しく、低い。
【００３７】
そのため、本発明のように、容量の少ないサムネイルを作成して、そのＵＲＬを添付しておくことにより、複数のサムネイルを一画面に表示し、必要なもののみを選択し、ダウンロードすることにより、検索、閲覧性を大幅に向上させることができる。
【００３８】
また、画像ファイルのヘッダに付加情報を書き込むことと比較して、ヘッダ情報が何らかの画像の加工により書き換わったとしても、ＵＲＬ情報は電子透かしとして画像に埋め込まれているため、失われることはない。
【００３９】
（第２の実施例）
以下、図５〜図８に基づき、本発明による画像データの受け渡し装置の好適な第二実施例を説明する。
【００４０】
本実施例は第１実施例の電子透かし情報として、ＵＲＬの他に、セキュリティ情報として、パスワード情報を付加したものである。
【００４１】
図５に、本実施例による画像データの受渡し装置の渡し側、図６に受け側の装置構成を示す。
【００４２】
まず、図５の画像データの渡し側では、渡す対象となる画像（静止画／動画）（以下、本画像）のサムネイルを作成する手段ｓ５０１、本画像を置いてあるＵＲＬを取得する手段Ｓ５０２、セキュリティ情報としてサムネイルに埋め込むためのパスワード情報を取得する手段ｓ５０３、ｓ５０２で得られたＵＲＬをｓ５０１で得られたサムネイルに電子透かし情報として埋め込むための電子透かし作成手段ｓ５０４から構成される。
【００４３】
また、図６の画像データの受け側では、サムネイルを閲覧するための手段ｓ６０１、サムネイルに埋め込まれた電子透かし情報を解読する手段ｓ６０２、前記解読された電子透かし情報からパスワード情報を抽出する手段ｓ６０３、このパスワード情報を元に認証をする手段ｓ６０４、前記解読された電子透かし情報からＵＲＬを抽出する手段ｓ６０５、前記抽出されたＵＲＬから画像をダウンロードする手段ｓ６０６、ダウンロードした画像を表示する手段ｓ６０７から構成される。
【００４４】
図７に、図５に示した画像データの渡し側の動作の流れを示す。
【００４５】
図７の流れは図３に示した流れと良く似ており、図３の流れに加えて、本画像のＵＲＬを取得した後（ｓ７０３）、ＤＥＳの情報等のパスワード情報を取得し（ｓ７０４）、ＵＲＬ情報と共にｓ７０４で得られたパスワード情報を電子透かしとしてサムネイルに付加する（ｓ７０５）点が図３と異なる。
【００４６】
また、図８に、画像データの受渡し装置の渡し側で作成されたサムネイルを元に、受け側で本画像を閲覧するための流れを示す。
【００４７】
図８の流れは図４に示した流れと良く似ており、図４の流れに加えて、サムネイルから電子透かしを解読（ｓ８０４）した後、透かし情報からＤＥＳのパスワード情報を取得（ｓ８０５）し、閲覧者にパスワード入力を促すなどしてパスワードを入力させ、認証を行い（ｓ８０６）、認証された場合に限り、透かし情報からＵＲＬを抽出（ｓ８０７）し、抽出されたＵＲＬから画像をダウンロードする点が異なる。
【００４８】
以上により、サムネイルを渡される側がＵＲＬを読むためのパスワードを知らなければ、ＵＲＬを知ることができず、本画像をダウンロードすることができず、これにより、セキュリティを保つことが可能となる。
【００４９】
以上説明してきた、ＤＥＳのパスワード情報の代わりに、公開鍵を電子透かしとして加えておくことにより、公開鍵暗号化をＵＲＬにしておくことにより、よりセキュリティの高く、融通のきいた装置にすることができる。
【００５０】
（第３の実施例）
以下、図９〜図１２に基づき、本発明による画像データの受渡し装置の好適な第三実施例を説明する。
【００５１】
本実施例は第１実施例の電子透かし情報として、ＵＲＬを直接記述するのではなく、スクリプト言語を埋め込む点が異なる。
【００５２】
まず、図９の画像データの渡し側では、渡す対象となる画像（静止画／動画）（以下、本画像）のサムネイルを作成する手段ｓ９０１、本画像を置いてあるＵＲＬを取得する手段Ｓ９０２、ＵＲＬや、ＵＲＬに記述してある情報をダウンロードしたり、ダウンロードした画像を表示するためのスクリプト（例えばＪａｖａ（登録商標）  アプレット）を生成する手段ｓ９０３、ｓ９０３で得られたスクリプトをｓ９０１で得られたサムネイルに電子透かし情報として埋め込むための電子透かし作成手段ｓ９０４から構成される。
【００５３】
また、図１０の画像データの受け側では、サムネイルを閲覧するための手段ｓ１００１、サムネイルに埋め込まれた電子透かし情報を解読する手段ｓ１００２、前記解読された電子透かし情報がスクリプト言語であることを認識し、スクリプトを実行する手段ｓ１００３により構成される。
【００５４】
図１１に、図９で示した画像データの渡し側の動作の流れを示す。
【００５５】
図１１の流れは、図３に示した流れと良く似ており、図３の流れに加えて、本画像のＵＲＬを取得（ｓ１１０３）した後、取得したＵＲＬの情報をダウンロードし、その内容を表示するように記述したスクリプトを作成（ｓ１１０４）し、ｓ１１０４で作成されたスクリプトを電子透かしとして挿入する点が図３と異なる。
【００５６】
スクリプトには、ＵＲＬからダウンロードして表示する以外にも、特殊な効果をもたせるためのプログラムを記述しても良い。
【００５７】
次に図１２に、画像データの受渡し装置の渡し側で作成されたサムネイルを元に、受け側で本画像を閲覧するための流れを示す。
【００５８】
図１２の流れは図４に示した流れと似ており、図４の流れとは、サムネイルから電子すかしを解読（ｓ１２０４）した後に、電子透かし情報からスクリプト情報であることを確認（ｓ１２０５）し、前記スクリプトを実行する（ｓ１２０６）点が異なる。
【００５９】
これにより、電子透かしの入ったサムネイルを生成するときに、本画像をダウンロードして、表示させる以外にも、画像を公開するユーザ独自に特殊効果をプログラミングすることも可能で、よりバリエーションのある画像データの受渡し効果を得ることができる。
【００６０】
【発明の効果】
以上説明したように本発明によれば先ず、画像データの受渡し装置において、第１及び第２の実施例によれば、受け渡したい画像を閲覧可能なサーバ上に置き、対象となる画像のサムネイルを作成し、このサムネイルに前記サーバに置かれた画像のＵＲＬを電子透かしとして埋め込むことで、ユーザ間で小さなデータでの受渡しが可能で、且つ、閲覧性の高い画像データの受渡し装置を構成することが可能となり、サムネイルを改竄された場合においても、ＵＲＬ情報は残る。
【００６１】
また、本発明によれば、第２の実施例によれば、電子透かし情報として、ＵＲＬだけでなく、ＤＥＳ等のセキュリティ情報を埋め込むことにより、閲覧可能なユーザを特定することが可能となる。
【００６２】
更に、本発明によれば、第３の実施例によれば、特定のＵＲＬからダウンロードして表示したり、その他配布者の意向によるスクリプトをサムネイルに埋め込むことにより、配布者独自の意向に沿った画像の閲覧を促すことができる。
【図面の簡単な説明】
【図１】本発明の第１実施例におけるサムネイルを作成する手段の構成を表す図である。
【図２】本発明の第１実施例におけるサムネイルから本画像を取得する手段の構成を表す図である。
【図３】本発明の第１実施例におけるサムネイルを作成する処理の流れを表す図である。
【図４】本発明の第１実施例におけるサムネイルから本画像を収録する処理の流れを表す図である。
【図５】本発明の第２実施例におけるサムネイルを作成する手段の構成を表す図である。
【図６】本発明の第２実施例におけるサムネイルから本画像を取得する手段の構成を表す図である。
【図７】本発明の第２実施例におけるサムネイルを作成する処理の流れを表す図である。
【図８】本発明の第２実施例におけるサムネイルから本画像を収録する処理の流れを表す図である。
【図９】本発明の第３実施例におけるサムネイルを作成する手段の構成を表す図である。
【図１０】本発明の第３実施例におけるサムネイルから本画像を取得する手段の構成を表す図である。
【図１１】本発明の第３実施例におけるサムネイルを作成する処理の流れを表す図である。
【図１２】本発明の第３実施例におけるサムネイルから本画像を収録する処理の流れを表す図である。
【図１】
2004320465.tif 000003
【図２】
2004320465.tif 000004
【図３】
2004320465.tif 000005
【図４】
2004320465.tif 000006
【図５】
2004320465.tif 000007
【図６】
2004320465.tif 000008
【図７】
2004320465.tif 000009
【図８】
2004320465.tif 000010
【図９】
2004320465.tif 000011
【図１０】
2004320465.tif 000012
【図１１】
2004320465.tif 000013
【図１２】
2004320465.tif 000014